(57)【要約】  本発明は、導光装置、発光装置、電子装置、及びキーを提供する。導光装置は導光体を含み、導光体の中にプリズム構造が配置され、プリズム構造は、導光体に入る光を反射するように構成され、導光体は光入射面及び光放出面を有し、光入射面は、プリズム構造と整合された標準的でない表面であり、且つプリズム構造から反射され戻された光を光放出面へと反射するように構成される。本発明の実施形態にて提供される導光装置は、均一な出現光を得ることができるように、光源によって発せられた入射ビームを効果的に散乱することができる。
2015527687.tif 000002
【特許請求の範囲】
【請求項１】
プリズム構造が中に配置された導光体であり、前記プリズム構造は、該導光体に入る光を反射するように構成される、導光体、
を有し、
前記導光体は光入射面及び光放出面を有し、前記光入射面は、前記プリズム構造と整合された標準的でない表面であり、且つ前記プリズム構造から反射され戻された光を前記光放出面へと反射するように構成されている、
導光装置。
【請求項２】
前記プリズム構造は三角形のプリズム構造である、請求項１に記載の導光装置。
【請求項３】
前記プリズム構造は、前記導光体の中に設けられた三角形の開口構造である、請求項２に記載の導光装置。
【請求項４】
前記三角形の開口構造において、三角形開口の頂角が前記光源に相対し、且つ
前記光入射面は、形状が前記三角形の開口構造と整合されたＶ字状の表面である、
請求項３に記載の導光装置。
【請求項５】
前記導光体は環状の導光体であり、且つ
前記環状の導光体の２つの反対側の側面に別々にプリズム構造が配置されている、
請求項１乃至４の何れか一項に記載の導光装置。
【請求項６】
前記環状の導光体は長方形のリング構造である、請求項５に記載の導光装置。
【請求項７】
前記導光体はアクリル材料又はポリカーボネート材料からなる、請求項１に記載の導光装置。
【請求項８】
導光装置と光源とを有する発光装置であり、
前記導光装置は、請求項１乃至７の何れか一項に記載の導光装置であり、且つ
前記光源は、前記導光装置内のプリズム構造に相対する位置に配置される、
発光装置。
【請求項９】
請求項８に記載の発光装置を有する電子装置。
【請求項１０】
請求項１乃至７の何れか一項に記載の導光装置を有するキーであり、前記導光装置の導光体の光放出面の上にキー部品が配置されている、キー。
【発明の詳細な説明】
【技術分野】
【０００１】
本出願は、２０１２年６月６日に中国特許庁に出願された“導光装置、発光装置、電子装置、及びキー”というタイトルの中国特許出願第２０１２１０１８４１４８．６号の優先権を主張するものであり、その全体をここに援用する。
【０００２】
本発明の実施形態は、導光技術に関し、特に、導光装置、発光装置、電子装置、及びキーに関する。
【背景技術】
【０００３】
電子製品が幅広く適用されている。電子製品の設計又は機能のニーズを満たすため、所望の照明効果を達成するために、一般に様々な発光装置が電子製品内に配置されている。例えば、電子製品上のキーでは、例えば夜間のような暗い環境での使用要求を満たすため、電子製品が夜間に使用されるときにキーの位置及び機能を見て取れるように（これはキーの操作に好都合である）、キー上に光を生成する必要がある。
【０００４】
現在、電子製品のキーは一般に電子製品の表面に埋め込まれており、キーの上面は電子製品の外表面に概して平行である。例えば夜間といった暗い環境において、光が存在しない場合、キーを識別することができない。この問題を解消するため、一般に発光装置がキーの位置に配置されて、キーのエッジ（縁）に環状の光を生成するようにされる。環状の光の生成は一般に、導光構造を用いることによって行われる。図１Ａは、環状の光を生成する既存の導光構造の模式図であり、図１Ｂは、Ａ−Ａ方向での図１Ａの切断図である。図１Ａ及び図１Ｂに示されるように、キー１０のエッジに環状の光を生成するため、キー１０の周りに４つのＬＥＤランプ２０が配置され、各ＬＥＤランプ２０とキー１０のエッジとの間にライトパイプ３０が配置され、そして、４つのライトパイプ３０がキー１０のエッジに環状構造を形成する。４つのライトパイプ３０は導光構造であり、ＬＥＤランプ２０によって発せられた光をキー１０のエッジに導き、環状の光を生成してキー１０の位置を目立たせるようにすることができ、また、発せられた光の助けを借りて、例えばキー上の文字などのキー機能情報を見えるようにし得る。さらに、従来技術は更に、キーのエッジ付近に配置される環状の導光構造を提供する。環状の導光構造は、当該環状の導光構造の下方に配置されたＬＥＤランプを用いることによって、環状の光を提供することができる。また、環状の光の発光均一性を改善するため、環状の導光構造は更に、非点収差粉末と混合され、環状の導光構造の下端に４つ以上のＬＥＤランプが均等に配置される。
【０００５】
しかしながら、環状の光を生成する既存の導光構造が使用されるとき、より良好な照明効果を達成するとともに環状の光の均一性を改善するために、一般に４つ又はそれより多くのＬＥＤランプが配置されており、これは、発光装置の体積を増大させるだけでなく、発光装置のエネルギー消費をも増大させる。
【発明の概要】
【発明が解決しようとする課題】
【０００６】
本発明の実施形態は、導光構造の導光均一性を実効的に向上させ、使用される光源の数を削減し、且つエネルギー消費を抑制することが可能な、導光装置、発光装置、電子装置、及びキーを提供する。
【課題を解決するための手段】
【０００７】
本発明の一実施形態は導光装置を提供し、当該導光装置は、
プリズム構造が中に配置された導光体であり、前記プリズム構造は、該導光体に入る光を反射するように構成される、導光体、
を含み、
前記導光体は光入射面及び光放出面を有し、前記光入射面は、前記プリズム構造と整合された標準的でない表面であり、且つ前記プリズム構造から反射され戻された光を前記光放出面へと反射するように構成される。
【０００８】
本発明の一実施形態は更に発光装置を提供し、当該発光装置は導光装置と光源とを含み、前記導光装置は、本発明の上述の実施形態にて提供される導光装置であり、且つ
前記光源は、前記導光装置内のプリズム構造に相対する位置に配置される。
【０００９】
加えて、本発明の一実施形態は更に電子装置を提供し、当該電子装置は、本発明の上述の実施形態にて提供される発光装置を含む。
【００１０】
また、本発明の一実施形態は更にキーを提供し、当該キーは、本発明の上述の実施形態にて提供される導光装置を含み、前記導光装置の導光体の光放出面の上にキー部品が配置される。
【００１１】
本発明の実施形態においては、プリズム構造と、該プリズム構造と整合された光入射面とが、導光体に入る光を反射するように導光体内に配置され、それにより、導光体内で光の拡散処理が行われ、光源によって発せられた入射ビームが均一に散乱されて導光体の光放出面から送出され得る。故に、使用する光源の数を削減することができ、環状ランプとして使用される発光装置にとって特に適したことである均一な発光という目的を達成することができる。これは効果的に、導光構造を単純化し、発光装置の体積を縮小し、使用される光源の数を削減し、発光装置のエネルギー消費を低減し、そしてまた、良好な導光効果を提供することができる。
【図面の簡単な説明】
【００１２】
本発明の実施形態における、あるいは従来技術における技術的ソリューションをいっそう明瞭に記述するため、以下、実施形態又は従来技術を記述するのに必要な添付図面を簡単に紹介する。明らかなように、以下に説明される添付図面は、本発明の幾つかの実施形態を示すものであり、当業者はさらに、創作努力なしで、添付図面からその他の図を導き出すことができる。
【図１Ａ】環状の光を生成する既存の導光構造の模式図である。
【図１Ｂ】Ａ−Ａ方向での図１Ａの切断図である。
【図２Ａ】本発明の実施形態１による導光装置の３次元構造の一方向での模式図である。
【図２Ｂ】本発明の実施形態１による導光装置の３次元構造の他の一方向での模式図である。
【図２Ｃ】本発明の実施形態１による光源とともに使用される導光装置の模式構造図である。
【図３】本発明の一実施形態による導光装置の動作原理の模式図である。
【図４】本発明の一実施形態による電子装置に適用される導光装置の模式断面構造図である。
【発明を実施するための形態】
【００１３】
本発明の目的、技術的ソリューション、及び利点をいっそう明瞭にするため、以下、本発明の実施形態内の添付図面を参照して、本発明の実施形態における技術的ソリューションを明瞭且つ十分に記載する。明らかなように、記載される実施形態は、本発明の実施形態のうちの一部であって、全てではない。本発明の実施形態に基づいて創作努力なしで当業者によって得られるその他全ての実施形態も、本発明の保護範囲に入るべきものである。
【００１４】
本発明の一実施形態は導光装置を提供し、そこでは、プリズム構造が導光装置内に配置されることができ、プリズム構造は、導光体（導光ボディ）に入る光を反射するために使用され、そして、導光体の表面形状を改善することにより、プリズム構造によって反射された光が更に、導光体の光放出面へと反射され得るようにされる。具体的には、導光装置は導光体を含むことができ、プリズム構造が導光体内に配置され、プリズム構造は、導光体に入る光を反射するように構成されることができ、そして、導光体は、光入射面と光放出面とを有し、光入射面は、プリズム構造と整合された標準的でない表面であり、プリズム構造から反射され戻された光を導光体の光放出面へと反射するように構成される。本発明のこの実施形態にて提供される導光装置は、プリズム構造と、該プリズム構造と整合された標準的でない光入射面とを用いて、光入射面を通して導光体に入った、光入射面の側に配置された光源の光の一部を、該光を散乱するように反射する。これにより、導光体の光放出面から均一な光が送出され得るように、光源によって発せられたビームを導光体の光放出面へと均一に散乱させ得る。
【００１５】
以下、添付図面を参照して具体例を用いることによって、本発明の実施形態の技術的ソリューションを詳細に説明する。
【００１６】
図２Ａは、本発明の実施形態１による導光装置の３次元構造の一方向での模式図であり、図２Ｂは、本発明の実施形態１による導光装置の３次元構造の他の一方向での模式図であり、図２Ｃは、本発明の実施形態１による光源とともに使用される導光装置の模式構造図であり、そして、図３は、本発明の一実施形態による導光装置の動作原理の模式図である。図２Ａ−図２Ｃに示すように、この実施形態における導光装置は、環状の導光構造である導光体（導光ボディ）１を含んでいる。具体的には、この実施形態における導光体１は長方形のリング構造であり、導光体１の２つの反対側の側面の導光部Ａ１及び導光部Ａ２に別々にプリズム構造が配置され、プリズム構造は、導光体１に設けられた三角形の開口２であり、導光体１の光入射面１１、すなわち、導光体１の下端に配置される光源３に相対する側の表面は、三角形開口２と整合（マッチング）されたＶ字状の表面である。この実施形態において、導光部Ａ１及び導光部Ａ２の光入射面の双方が、三角形開口２と整合するようなＶ字状表面であり、三角形開口２によって反射された光が再び反射された後に、その光が、導光体１に対応する光放出面１２から送出される。
【００１７】
この実施形態における導光装置が使用されるとき、図２Ｃ及び図３に示すように、光源３が三角形開口２の真下に位置付けられ、三角形開口２の頂角が光源３の真正面にされる。斯くして、光源３によって発せられた光は、或る入射角で導光体１に入り、三角形開口２の表面によって全反射され、全反射された後の光が再び光入射面１１に伝送され、そして、光入射面１１に伝送された光が更に、導光体１の光放出面１２へと全反射される。導光体１に入る光源３の光は、図３に示される光Ｌ１であり、三角形開口２によって全反射された後の光は、図３に示される光Ｌ２であり、そして、導光体１の光入射面１２によって全反射された後の光は、図３に示される光Ｌ３である。当業者が理解し得ることには、光Ｌ１のうち、或る入射角条件を満たす光のみが三角形開口２によって全反射され、すなわち、一部の光は反射・屈折される。
【００１８】
この実施形態において、光源３によって発せられた光は導光体１の三角形開口２を通して伝わり、そこで反射現象が起こり、それ故に、光にいったん拡散処理が行われ、加えて、三角形開口２によって反射された光に関し、導光体２内の拡散光は更に、Ｖ字状の光入射面１１によって全反射されることができ、そして最後に、その光が導光体１の光放出面１２から送出される。見て取り得ることには、導光体１内で、光がプリズム構造すなわち三角形開口２によって反射され、それ故に、光が導光体１内で拡散される。斯くして、導光体１の光放出面１２から送出される光はいっそう均一であり、導光部Ａ１及び導光部Ａ２に別々に光源３が配置される限り、導光体１の環状の導光面１２に均一な環状の光を生成することができ、それ故に、使用する光源の数が削減され得る。
【００１９】
この実施形態において、導光体１は、キーに一体化されて、キーの一部として使用されることができる。図２Ａ−図２Ｃに示すように、キー部品１３が導光体１の上面に配置され、キー部品１３及び導光体１が１つの全体（全ボディ）として製造される。環状の半透明領域が形成されるように、導光体１の光放出面に対応する位置を除いて、キー部品１３上の領域内に遮光領域が設けられ得る。斯くして、導光体の光放出面から送出された光は、環状の半透明領域を通して送出されることができ、キーの照明要求を満たすように環状の光が形成される。
【００２０】
図４は、本発明の一実施形態による電子装置に適用される導光装置の模式断面構造図である。図４に示すように、この実施形態における導光装置は、キー４上に一体化されて、電子装置５内に取り付けられている。光源３が、導光装置内にあり且つ三角形開口２に相対する下側の位置に位置付けられて、光を提供するように構成される。光源３はＬＥＤランプであり、電子装置５と協働する支持部がキー４に配置される。斯くして、電子装置５が動作するとき、光源３を制御することができ、光源３から発せられた光は、導光体１に入った後に、三角形開口２と導光体１の光入射面（この図には示さず）とによって２回にわたって全反射されることができ、最終的に、キー４の上部にある環状の照明領域から環状の光が送出される。
【００２１】
この実施形態において、導光体１内の光が三角形開口２及び光入射面１２によって全反射されることを可能にして、光の全て又は大部分が導光体１の光放出面１２から送出され得るようにするため、導光体１の屈折率は空気の屈折率より高くあるべきであり、加えて、導光体１に入って三角形開口２の表面に伝送される光源の光の入射角は、導光体の臨界角（すなわち、光が導光体内で全反射されることが可能な最小角度）より大きくあるべきである。同様に、三角形開口２の表面によって全反射された後に導光体１の光入射面１２に伝送される光の入射角は、導光体の臨界角より大きくあるべきである。以上の条件を満たすため、導光体１は、その屈折率が空気の屈折率より大きい材料で作製されることができ、光源３と三角形開口２との間の距離、及び三角形開口２の構造内の三角形の角度は、光源３によって発せられた光の大部分が、導光体の臨界角より大きい入射角で、導光体１内の三角形開口２の表面に伝送されることができ、且つ光の大部分が三角形開口２の表面によって全反射されることができるように、適切に決められるべきであり、三角形開口２の構造は、Ｖ字状の光入射面１２と整合されるべきであり、すなわち、光入射面１２のＶ字角度は、三角形開口２の構造によって光入射面１２へと反射された光が、光入射面１２によって全反射されて導光体１の光放出面１２から送出されることができるように、適切に決められるべきである。
【００２２】
実用的な適用において、導光体はアクリルＰＭＭＡ又はポリカーボネートＰＣで作製されることができ、ＰＭＭＡの屈折率は１．４８から１．５であり、ＰＣの屈折率は１．５９であり、また、空気の屈折率は１．０であり、ＰＭＭＡで全反射が起こる入射角すなわち臨界角は４２°であり、ＰＣで全反射が起こる入射角すなわち臨界角は３９°である。故に、三角形開口のサイズ、Ｖ字状光入射面のサイズ、及び光源と導光体との間の距離が、異なる屈折率を有する使用材料に従って適切に決められ得る。異なる屈折率を有する材料を使用する導光体について、当業者は、三角形開口のサイズ、Ｖ字状光入射面のサイズ、及び光源と導光体との間の距離を、実際の条件に従って設定することができ、詳細をここで改めて説明することはしない。
【００２３】
好ましくは、ＰＭＭＡ材料からなる導光体がこの実施形態において使用される。具体的には、図２Ｃに示すように、三角形開口２の構造において、光源３に相対する角はθ１＝１１０°であり、光入射面１２のＶ字に含まれる角度はθ２＝１４４°であり、そして、光源３によって発せられた光を導光体１内に直接的に伝達することができるように、光入射面１２の端部は平面である。
【００２４】
当業者が理解し得ることには、導光装置と協働する以上の光源は点光源であり、具体的にはＬＥＤランプとしてもよく、加えて、導光装置内のプリズムは、均一な出現光を実装するように、光源から発せられた光を拡散させるだけでなく、光放出面から送出される光がいっそう均一で落ち着いたものとなるように、光源に対応する位置での光の強度を効果的に減衰させる。
【００２５】
当業者が理解し得ることには、導光体内での光の拡散程度は、光源と三角形開口との間の距離、及びＶ字状光入射面の角度を適切に設定することによって適切に調整されることができ、それ故に、導光体の光放出面から送出される光の均一性は調整されることができ、加えて、光源の光は様々な角度で導光体に入り、実際には、光の一部のみがプリズム構造により導光体内で様々な角度に拡散される。プリズム構造及び光放出面によって２回反射された後、１つの光源によって発せられたビームが、大きい面積又は大きい距離を備えた照明効果を形成し得る。故に、環状構造の導光体では、２つのみの光源を配置することによって、均一な光を備えた環状の照明効果が形成され得る。
【００２６】
当業者が理解し得ることには、図２Ａ−図２Ｃに示した三角形の開口構造の他に、導光体１内に配置されるプリズム構造は、光源によって発せられた入射光が全反射されることができる限り、他の構造の形状であってもよい。従って、プリズム構造が異なるときには、導光体の光入射面の形状も、導光体内の光が導光体の光放出面から均一に送出され得ることを確保するよう整合すべく調整されるべきである。加えて、プリズム構造はまた、プリズムの材料の屈折率が導光体の屈折率より低い限り、他の半透明材料からなるプリズムであってもよい。この実施形態は、これについて如何なる特別な限定も構成しない。
【００２７】
当業者が理解し得ることには、図２Ａ−図２Ｃに示した長方形のリング構造の他に、導光体の構造は、導光体の構造内にプリズム構造が配置され、光入射面の形状について整合設定が実行され、導光体の構造に入る光が複数回にわたって反射されることができ、光源によって発せられたビームが導光体の光放出面から均一に送出される限り、例えば円形、長方形、又は不規則形状といった他の形状であってもよい。
【００２８】
要するに、この実施形態にて提供される導光装置においては、プリズム構造と、プリズム構造と整合された光入射面とが、導光体に入る光を反射するように導光体内に配置され、それにより、導光体内で光の拡散処理が行われ、光源によって発せられた入射ビームが均一に散乱されて導光体の光放出面から送出され得る。故に、使用する光源の数を削減することができ、環状ランプとして使用される発光装置にとって特に適したことである均一な発光という目的を達成することができる。これは効果的に、導光構造を単純化し、発光装置の体積を縮小し、使用される光源の数を削減し、発光装置のエネルギー消費を低減し、そしてまた、良好な導光効果を提供することができる。
【００２９】
加えて、本発明は更に、導光装置と光源とを含む発光装置を提供する。導光装置は、本発明の上述の実施形態にて提供される導光装置であり、光源は、導光装置内のプリズム構造に相対する位置に配置され、導光装置の光源を提供するように構成される。
【００３０】
また、本発明は更に、上述の発光装置を含む電子装置を提供する。電子装置は、具体的には、例えば携帯電話及びタブレットコンピュータなどの様々な通信端末、若しくは様々な通信ネットワーク装置、家庭電化製品、及びこれらに類するものとし得る。発光装置は、電子装置上の発光ユニットとして使用されることができ、状態インジケーション機能又は光装飾機能を実現するように構成され得る。発光装置の具体的な構造をここで改めて説明することはしない。
【００３１】
加えて、本発明は更に、導光装置を含むキーを提供する。導光装置は、本発明の上述の実施形態にて提供される導光装置を使用し得る。導光装置の導光体の光放出面の上にキー部品を配置することができ、キー部品及び導光体が１つの全体（全ボディ）として製造され得る。一実装手法に関し、図２Ａ−図２Ｃに示した構造を参照し得る。詳細に関しては、上述の導光装置の実施形態の説明を参照することができ、詳細をここで改めて説明することはしない。
【００３２】
実用的な適用において、キーは例えばＰＣ又はＰＭＭＡなどの半透明材料で作製されることができ、この実施形態に記載される導光装置がキー上に配置され、そして、キーの頂部すなわちキーキャップへのシルクスクリーン印刷若しくはスプレイ塗布、及びレーザ彫刻によって、環状の半透明領域が得られ得る。斯くして、光源によって発せられた光は、導光装置内のプリズム構造と光入射面の形状とを用いることによって２回にわたって反射されることができ、そして、環状の半透明領域から、均一な環状の光が送出され得る。
【００３３】
最後に、留意すべきことには、以上の実施形態は、単に、本発明の技術的ソリューションを説明することを意図したものであり、本発明を限定するものではない。以上の実施形態を参照して本発明を詳細に説明したが、当業者が理解するはずのことには、本発明の実施形態の技術的ソリューションの範囲を逸脱することなく、以上の実施形態にて説明された技術的ソリューションへの変更を為したり、あるいはそれの一部又は全ての技術的特徴への等価な置換を為したりすることをなおも行い得る。
【図１Ａ】
2015527687.tif 000003
【図１Ｂ】
2015527687.tif 000004
【図２Ａ】
2015527687.tif 000005
【図２Ｂ】
2015527687.tif 000006
【図２Ｃ】
2015527687.tif 000007
【図３】
2015527687.tif 000008
【図４】
2015527687.tif 000009
【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
プリズム構造が中に配置された導光体であり、前記プリズム構造は、該導光体に入る光を反射するように構成される、導光体、
を有し、
前記導光体は光入射面及び光放出面を有し、前記光入射面は、前記プリズム構造と整合された表面であり、且つ前記プリズム構造から反射され戻された光を前記光放出面へと反射するように構成されている、
導光装置。
【請求項２】
前記プリズム構造は三角形のプリズム構造である、請求項１に記載の導光装置。
【請求項３】
前記プリズム構造は、前記導光体の中に設けられた三角形の開口構造である、請求項２に記載の導光装置。
【請求項４】
前記三角形の開口構造において、三角形開口の頂角が光源に相対し、且つ
前記光入射面は、形状が前記三角形の開口構造と整合されたＶ字状の表面である、
請求項３に記載の導光装置。
【請求項５】
前記導光体は環状の導光体であり、且つ
前記環状の導光体の２つの反対側の側面に別々にプリズム構造が配置されている、
請求項１乃至４の何れか一項に記載の導光装置。
【請求項６】
前記環状の導光体は長方形のリング構造である、請求項５に記載の導光装置。
【請求項７】
前記導光体はアクリル材料又はポリカーボネート材料からなる、請求項１に記載の導光装置。
【請求項８】
導光装置と光源とを有する発光装置であり、
前記導光装置は、請求項１乃至７の何れか一項に記載の導光装置であり、且つ
前記光源は、前記導光装置内のプリズム構造に相対する位置に配置される、
発光装置。
【請求項９】
請求項８に記載の発光装置を有する電子装置。
【請求項１０】
請求項１乃至７の何れか一項に記載の導光装置を有するキーであり、前記導光装置の導光体の光放出面の上にキー部品が配置されている、キー。
【手続補正２】
【補正対象書類名】明細書
【補正対象項目名】０００７
【補正方法】変更
【補正の内容】
【０００７】
本発明の一実施形態は導光装置を提供し、当該導光装置は、
プリズム構造が中に配置された導光体であり、前記プリズム構造は、該導光体に入る光を反射するように構成される、導光体、
を含み、
前記導光体は光入射面及び光放出面を有し、前記光入射面は、前記プリズム構造と整合された表面であり、且つ前記プリズム構造から反射され戻された光を前記光放出面へと反射するように構成される。
【手続補正３】
【補正対象書類名】明細書
【補正対象項目名】００１１
【補正方法】変更
【補正の内容】
【００１１】
本発明の実施形態においては、プリズム構造と、該プリズム構造と整合された光入射面とが、導光体に入る光を反射するように導光体内に配置され、それにより、導光体内で光の拡散処理が行われ、光源によって発せられた入射ビームが均一に散乱されて導光体の光放出面から送出され得る。故に、使用する光源の数を削減することができ、環状の光を必要とする装置にとって特に適したことである均一な発光という目的を達成することができる。これは効果的に、導光構造を単純化し、発光装置の体積を縮小し、使用される光源の数を削減し、発光装置のエネルギー消費を低減し、そしてまた、良好な導光効果を提供することができる。
【手続補正４】
【補正対象書類名】明細書
【補正対象項目名】００１７
【補正方法】変更
【補正の内容】
【００１７】
この実施形態における導光装置が使用されるとき、図２Ｃ及び図３に示すように、光源３が三角形開口２の真下に位置付けられ、三角形開口２の頂角が光源３の真正面にされる。斯くして、光源３によって発せられた光は、或る入射角で導光体１に入り、三角形開口２の表面によって全反射され、全反射された後の光が再び光入射面１１に伝送され、そして、光入射面１１に伝送された光が更に、導光体１の光放出面１２へと全反射される。導光体１に入る光源３の光は、図３に示される光Ｌ１であり、三角形開口２によって全反射された後の光は、図３に示される光Ｌ２であり、そして、導光体１の光入射面１１によって全反射された後の光は、図３に示される光Ｌ３である。当業者が理解し得ることには、光Ｌ１のうち、或る入射角条件を満たす光のみが三角形開口２によって全反射され、すなわち、一部の光は反射・屈折される。
【手続補正５】
【補正対象書類名】明細書
【補正対象項目名】００１８
【補正方法】変更
【補正の内容】
【００１８】
この実施形態において、光源３によって発せられた光は導光体１の三角形開口２を通して伝わり、そこで反射現象が起こり、それ故に、光にいったん拡散処理が行われ、加えて、三角形開口２によって反射された光に関し、導光体２内の拡散光は更に、Ｖ字状の光入射面１１によって全反射されることができ、そして最後に、その光が導光体１の光放出面１２から送出される。見て取り得ることには、導光体１内で、光がプリズム構造すなわち三角形開口２によって反射され、それ故に、光が導光体１内で拡散される。斯くして、導光体１の光放出面１２から送出される光はいっそう均一であり、導光部Ａ１及び導光部Ａ２に別々に光源３が配置される限り、導光体１の環状の光放出面１２に均一な環状の光を生成することができ、それ故に、使用する光源の数が削減され得る。
【手続補正６】
【補正対象書類名】明細書
【補正対象項目名】００２１
【補正方法】変更
【補正の内容】
【００２１】
この実施形態において、導光体１内の光が三角形開口２及び光入射面１１によって全反射されることを可能にして、光の全て又は大部分が導光体１の光放出面１２から送出され得るようにするため、導光体１の屈折率は空気の屈折率より高くあるべきであり、加えて、導光体１に入って三角形開口２の表面に伝送される光源の光の入射角は、導光体の臨界角（すなわち、光が導光体内で全反射されることが可能な最小角度）より大きくあるべきである。同様に、三角形開口２の表面によって全反射された後に導光体１の光入射面１１に伝送される光の入射角は、導光体の臨界角より大きくあるべきである。以上の条件を満たすため、導光体１は、その屈折率が空気の屈折率より大きい材料で作製されることができ、光源３と三角形開口２との間の距離、及び三角形開口２の構造内の三角形の角度は、光源３によって発せられた光の大部分が、導光体の臨界角より大きい入射角で、導光体１内の三角形開口２の表面に伝送されることができ、且つ光の大部分が三角形開口２の表面によって全反射されることができるように、適切に決められるべきであり、三角形開口２の構造は、Ｖ字状の光入射面１１と整合されるべきであり、すなわち、光入射面１１のＶ字角度は、三角形開口２の構造によって光入射面１１へと反射された光が、光入射面１１によって全反射されて導光体１の光放出面１２から送出されることができるように、適切に決められるべきである。
【手続補正７】
【補正対象書類名】明細書
【補正対象項目名】００２３
【補正方法】変更
【補正の内容】
【００２３】
好ましくは、ＰＭＭＡ材料からなる導光体がこの実施形態において使用される。具体的には、図２Ｃに示すように、三角形開口２の構造において、光源３に相対する角はθ１＝１１０°であり、光入射面１１のＶ字に含まれる角度はθ２＝１４４°であり、そして、光源３によって発せられた光を導光体１内に直接的に伝達することができるように、光入射面１１の端部は平面である。
【手続補正８】
【補正対象書類名】明細書
【補正対象項目名】００２５
【補正方法】変更
【補正の内容】
【００２５】
当業者が理解し得ることには、導光体内での光の拡散程度は、光源と三角形開口との間の距離、及びＶ字状光入射面の角度を適切に設定することによって適切に調整されることができ、それ故に、導光体の光放出面から送出される光の均一性は調整されることができ、加えて、光源の光は様々な角度で導光体に入り、実際には、光の一部のみがプリズム構造により導光体内で様々な角度に拡散される。プリズム構造及び光入射面によって２回反射された後、１つの光源によって発せられたビームが、大きい面積又は大きい距離を備えた照明効果を形成し得る。故に、環状構造の導光体では、２つのみの光源を配置することによって、均一な光を備えた環状の照明効果が形成され得る。
【手続補正９】
【補正対象書類名】明細書
【補正対象項目名】００２８
【補正方法】変更
【補正の内容】
【００２８】
要するに、この実施形態にて提供される導光装置においては、プリズム構造と、プリズム構造と整合された光入射面とが、導光体に入る光を反射するように導光体内に配置され、それにより、導光体内で光の拡散処理が行われ、光源によって発せられた入射ビームが均一に散乱されて導光体の光放出面から送出され得る。故に、使用する光源の数を削減することができ、環状の光を必要とする装置にとって特に適したことである均一な発光という目的を達成することができる。これは効果的に、導光構造を単純化し、発光装置の体積を縮小し、使用される光源の数を削減し、発光装置のエネルギー消費を低減し、そしてまた、良好な導光効果を提供することができる。
【国際調査報告】
2015527687.tif 000010
2015527687.tif 000011
2015527687.tif 000012
2015527687.tif 000013
2015527687.tif 000014
2015527687.tif 000015
2015527687.tif 000016
2015527687.tif 000017